(57)【要約】【課題】パッシブマトリックス型の有機発光素子ディスプレイにおいて、画面を構成するフレーム周波数を高くすることなく、走査線を視認しがたくすることにより表示品質を向上させる。【解決手段】パッシブマトリックス型の有機発光素子ディスプレイにおいて、１フレーム内での走査線の選択の順番を規定して、走査電極を非順次走査する。具体的には、１つおき、２つおきなどとびとびに走査したり、ランダムに走査したりする。これにより、目の移動よりも早く走査線が移動するので、ＥＬディスプレイの高輝度の走査線が肉眼で視認しがたくなり、表示品質が向上する。【選択図】　　　　図４
2004013115.tif 000002
【特許請求の範囲】
【請求項１】
有機薄膜に電流を流すことにより発光を得る有機発光素子を表示素子として用い、かつ複数列のデータ電極列と、複数列の走査電極列とを交差配置し、つぎつぎと走査電極を選択し同時にデータ電極に選択した走査線上のデータに相当する電圧を印加することによって画像を表示するパッシブマトリクス型の表示デバイスの駆動方法において、
前記走査電極を非順次で選択することを特徴とする表示デバイスの駆動方法。
【請求項２】
前記走査電極の非順次の選択は、１電極または２電極の間隔をあけて前記走査電極を逐次選択することを特徴とする請求項１に記載の表示デバイスの駆動方法。
【請求項３】
前記走査電極の非順次の選択は、現在選択している走査電極と次に選択される走査電極の間隔が３電極以上あることを特徴とする請求項１に記載の表示デバイスの駆動方法。
【請求項４】
前記走査電極の非順次の選択は、現在選択している走査電極と次に選択される走査電極の間隔が一定とならないように選択することを特徴とする請求項１に記載の表示デバイスの駆動方法。
【請求項５】
前記走査電極の非順次の選択は、表示する画像内容に応じて変化することを特徴とする請求項１に記載の表示デバイスの駆動方法。
【請求項６】
前記走査電極の非順次の選択は、複数の走査線を同時に選択することを特徴とする請求項１ないし５のいずれかに記載の表示デバイスの駆動方法。
【請求項７】
有機薄膜に電流を流すことにより発光を得る有機発光素子を表示素子として用い、かつ複数列のデータ電極列と、複数列の走査電極列とを交差配置し、つぎつぎと走査電極を選択し同時にデータ電極に選択した走査線上のデータに相当する電圧を印加することによって画像を表示するパッシブマトリクス型の表示デバイスの駆動装置において、
前記走査電極を非順次で選択する制御手段を有することを特徴とする表示デバイスの駆動装置。
【請求項８】
前記制御手段は、前記走査電極の非順次の選択において、１電極または２電極の間隔をあけて前記走査電極を逐次選択することを特徴とする請求項７に記載の表示デバイスの駆動装置。
【請求項９】
前記制御手段による前記走査電極の非順次の選択において、現在選択している走査電極と次に選択される走査電極の間隔が３電極以上あることを特徴とする請求項７に記載の表示デバイスの駆動装置。
【請求項１０】
前記制御手段は、前記走査電極の非順次の選択において、現在選択している走査電極と次に選択される走査電極の間隔が一定とならないように選択することを特徴とする請求項７に記載の表示デバイスの駆動装置。
【請求項１１】
前記制御手段による前記走査電極の非順次の選択は、表示する画像内容に応じて変化することを特徴とする請求項７に記載の表示デバイスの駆動装置。
【請求項１２】
前記制御手段は、前記走査電極の非順次の選択において、複数の走査線を同時に選択することを特徴とする請求項７ないし１１のいずれかに記載の表示デバイスの駆動装置。
【発明の詳細な説明】
【０００１】
【発明の属する技術分野】
本発明は、有機薄膜に電流を流すことにより発光を得る有機発光素子を用いたパッシブマトリックス型の表示デバイスの駆動方法および駆動装置に関する。
【０００２】
【従来の技術】
近年、情報の多様化が進んでいる。その中で固体撮像素子をはじめ、情報分野における表示デバイスは、小型・薄型・高精細・低消費電力・高速応答へ向けて活発な開発が進められている。特に、高精細なフラットパネル表示デバイスの発明が広くなされている。
【０００３】
このような表示デバイスに好適な液晶表示素子等として、視野角依存性、高速応答性等の優れた特徴を有する素子が１９８０年の後半から研究・開発されている。さらに詳しくは、有機分子の薄膜積層構造を有する有機エレクトロルミネセンス（以下、有機ＥＬという）素子であって、印加電圧１０Ｖにおいて１０００ｃｄ／ｍ２以上の高輝度が得られる積層型ＥＬ素子がＴａｎｇらによって報告（Ａｐｐｌ．Ｐｈｙｓ．Ｌｅｔｔ．，５１，９１３（１９８７））　されてから、有機ＥＬ素子は実用化に向けての研究が活発に行われている。また、有機高分子材料を用いた同様の素子も活発に開発が進められている。
【０００４】
有機ＥＬ素子は、低電圧で高い電流密度が実現できるため、無機ＥＬ素子やＬＥＤに比べて高い発光輝度と発光効率が期待できる。更に詳しくは、有機ＥＬ素子は、表示素子の特徴として、▲１▼高輝度と高コントラスト、▲２▼低電圧駆動と高い発光効率、▲３▼高解像度、▲４▼高視野性、▲５▼応答速度が速い、▲６▼微細化とカラー化、▲７▼軽さと薄さ、等の優れた特徴を持っている。
【０００５】
そして、複数の配線を格子状にパネル上に配設して水平方向の配線を走査線とし、垂直方向の配線をデータ線とし、各走査線とデータ線間にそれぞれ１画素を構成する有機ＥＬ素子を個別に接合し、それら走査線を１本づつ順次選択するとともに、その選択された走査線上に相当するデータをデータ線上に順次印加することによって、選択的に通電された有機ＥＬ素子が順次点灯するので、単純マトリックス表示を容易に実施することができ、これによって高品位の画像表示を実施することができるフラットパネル表示デバイスが得られる。
【０００６】
【発明が解決しようとする課題】
応答速度が高速である有機ＥＬ素子を上記のように単純マトリックス表示する際には、非常に高輝度のライン状の発光位置（これを走査線とよぶ）を高速で移動させることになる。この際、有機ＥＬ素子は応答速度が高速であるが故に、各画素の発光は走査後直ちに終了して、次のラインが発光する。
【０００７】
したがって、この場合、同時には１つのライン上でしか発光が行われず、これら発光を目の残像効果を利用することで画像を形成せしめるものである。そのために、発光しているラインの輝度は非常に高くする必要がある。無機ＥＬ素子やＬＥＤ等の応答速度が比較的遅い他の表示素子からなる表示パネルのラインの輝度に比べて、少なくとも走査ライン数に倍する輝度を必要とする。したがって、もしも発光しているラインの位置変化に視点を追随させてしまったとすれば、走査時間以上に連続して目視することになり、画像よりも遙かに明るい輝線として視認されてしまうであろう。
【０００８】
実際に、人間の肉眼はその特性上静止してはおらず、視点を移動しつづけるものである。その際に、偶然視点の移動がパネルの走査の速度に近くなったときには、視点の移動が走査線の移動に近くなり、普通に画像を視認するときと比較して数倍〜数十倍の時間、走査線を網膜の同一部位に捕らえることになる。その結果、一瞬（１フレーム内）のことながら、あたかも非常に明るい線が画面内に発生したかのごとく観察者（ユーザ）が視認する結果となる。この現象は観察者にとって異常なほどに印象的な現象であるので、明線に対して偏って注目する結果、画像全体に対する視認性を低下させる原因となり、さらにはあたかも画像に欠陥が発生したり、誤動作や故障が生じたような悪い印象を観察者にもたらすこととなる。
【０００９】
これを解決する手段としては、画面を構成するフレーム周波数を高くするということが考えられるが、これを実施するとデータ信号伝達の周波数が高くなるので、製造コストを上げる原因になるということ、また、単位時間あたりの有機発光素子の点滅回数が増えるためにパネルの容量を充放電による消費電力の上昇を招くこと、また、有機ＥＬ素子の容量によって時間応答性に限界があるために、フレーム周波数を上げるほど発光を開始するまでの時間が長くなり、結果として画面の輝度が低くなってしまう、などの難点がある。
【００１０】
また、特開２０００−１４８０８８号公報には、１走査線の中で階調表示（ピクセルの明るさ制御）をするために、走査線の選択期間内にデータラインに複数パルスを印加することで、パルス数に応じて階調を表現する階調表示方法が記載されているが、線順次走査、すなわち上から順番に走査線を選んでゆく走査方法を採用しているので、視点の移動と走査線の移動が一致すると走査線が目に見えてしまうという課題は解消されない。
【００１１】
上述したように、明線に対して偏って注目する現象は、観察者の視点の移動速度に合わせて走査線が移動するために発生する。通常、走査線は画面の一端から順次走査によって発光させるので、走査線の移動速度はもっとも遅い。例えば、７０ｐｐｉでフレーム周波数６０Ｈｚの６４０×４８０ドットのパネル（走査線４８０本）では、走査線の移動速度は１０ｍ／ｓに過ぎず、容易に人間の目によって追随できてしまう速度である。
【００１２】
本発明の目的は、上述のような課題を解決するために、有機発光素子を用いたパッシブマトリックス型の表示デバイスにおいて、画面を構成するフレーム周波数を高くすることなく、視覚的に高輝度の走査線を視認しがたくして、表示品質を向上させることにある。
【００１３】
【課題を解決するための手段】
上記目的を達成するため、本発明は、画面を構成するフレーム周波数を高くすることなく、走査線の移動に目を追随させないための手法をいくつか提案する。そのひとつは目が追随してこないような速度で走査線を移動させることである。そのための手法としては、走査線を順次走査するのではなく、いくつかの間隔を置いて走査することであり、間隔をあけただけ走査線の移動速度が高速となるのでそれだけ視線が追随しがたくなる。
【００１４】
次なる手法としては、走査線の移動を一定速度ではなく、加速度的に、あるいは飛び飛びに、あるいはランダムに行うことである。視線の移動は、ある程度の速度で等速度で行うことは容易であるが、視線の移動速度を急激に変化させたりすることは眼球の運動方法から考えて困難である。したがって、走査線の移動速度に変化をつけることによって、網膜上の同一位置に結像する走査線の本数を極めて少ないものに低減することができる。目で感じる明るさは、結像する走査線の本数に比例すると考えることができるので、これを低減することによって、走査線を視認する可能性、および目につきやすさを減少させることができる。
【００１５】
さらに、これら手法に加えて、１画面を構成する周期（フレーム周波数）を適当に増加させることと組み合わせることも、効果的な対処となる。
【００１６】
即ち、上記目的を達成するため、本発明は、有機薄膜に電流を流すことにより発光を得る有機発光素子を表示素子として用い、かつ複数列のデータ電極列と、複数列の走査電極列とを交差配置し、つぎつぎと走査電極を選択し同時にデータ電極に選択した走査線上のデータに相当する電圧を印加することによって画像を表示するパッシブマトリクス型の表示デバイスの駆動方法において、前記走査電極を非順次で選択することを特徴とする。
【００１７】
ここで、前記走査電極の非順次の選択は、１電極または２電極の間隔をあけて前記走査電極を逐次選択することを特徴とすることができる。
【００１８】
また、前記走査電極の非順次の選択は、現在選択している走査電極と次に選択される走査電極の間隔が３電極以上あることを特徴とすることができる。
【００１９】
また、前記走査電極の非順次の選択は、現在選択している走査電極と次に選択される走査電極の間隔が一定とならないように選択することを特徴とすることができる。
【００２０】
また、前記走査電極の非順次の選択は、表示する画像内容に応じて変化することを特徴とすることができる。
【００２１】
また、前記走査電極の非順次の選択は、複数の走査線を同時に選択することを特徴とすることができる。
【００２２】
【発明の実施の形態】
以下、図面を参照して本発明の実施の形態を詳細に説明する。
【００２３】
なお、説明の簡略化のため、以下では、モデルとして画素数（１６×ＲＧＢ）×１２ドットの有機ＥＬディスプレイパネルに本発明を適用した実施形態を示す。
【００２４】
（各実施形態のハード構成）
図１は本発明の後述の各実施形態におけるパッシブマトリックス型の有機発光素子ディスプレイの構成を示す。この有機発光素子ディスプレイは、有機ＥＬ単純マトリックスパネル（以下、有機発光素子パネルという）１０１と、走査ドライバ（走査駆動回路）１０３と、データドライバ（データ駆動回路）１０５と、制御部１０７とを備える。走査ドライバ１０３は有機発光素子パネル１０１の走査線を駆動する。データドライバ１０５は有機発光素子パネル１０１のデータ線を駆動する。制御部１０７は外部装置（図示しない）から供給される映像信号に応じて走査ドライバ１０３とデータドライバ１０５を制御する。なお、１０９は有機発光素子パネル１０１の一部を拡大した部分である。
【００２５】
図２は図１の有機発光素子ディスプレイを構成する有機発光素子パネルの構成を示す。この有機発光素子パネル１０１は、一例として１２本の走査線２０１と１６本のデータ線３０１を格子状に配設したものであって、各走査線２０１とデータ線３０１間にそれぞれ１画素を構成する有機ＥＬ素子を個別に接合し（図１の１０９を参照）、それら走査線２０１を本発明に係わる後述の特定の順番で選択するとともに、その選択された走査線上に相当するデータをデータ線上に順次印加することによって、選択的に通電された有機ＥＬ素子が順次点灯するように構成されている。
【００２６】
すなわち、上記図１の制御部１０７は図２の１２本の走査電極を本発明に係わる後述の特定の順番で選択し、データ電極は選択している走査電極に対応したデータを表示する。以下に述べる比較例と第１〜第４の実施形態はすべて走査電極を選択する順番を変化させて実施したものである。すべての走査電極を走査することによって１フレームの走査が完了し、次のフレームの表示に移行する。
【００２７】
（比較例）
本発明の比較例として、走査電極を順次走査した場合を図３に示す。図３は１フレーム内での各走査線の電位を示す。図３は例示であるので１フレームだけ走査して表示を終了しているが、通常では、連続して次々フレームを表示させることによって画像が構成されるので、連続して表示を行うとしてもよいのは勿論である。ここで、各走査線の電位は高い電位（ハイレベル）と低い電位（ローレベル）の２電位で示し、作図の都合により図中では縦に並べて書いている。また、電位が低くなったときに、その箇所の走査線が選択されたことを示す。この走査線につながるピクセル（画素）が、それぞれデータ線に印加した電位に応じて発光する。非選択（すなわち高い電位の）走査線につながるピクセルは発光を起こさない。
【００２８】
図３の比較例では、線順次走査、すなわち上から順番に走査線を選んでゆく従来の走査方法を採用しているので、走査線を選択する順番は、１・２・３・４・５・６・７・８・９・１０・１１・１２（番）となる。従って、単位時間あたりに走査線の移動する距離は、１・１・１・１・１・１・１・１・１・１・１である。この場合、隣接した走査電極が次々に選択されて表示されていくので、従来例で詳述したように明線の視認がもっとも起こりやすい。
【００２９】
（第１の実施形態）
まず、走査電極を１つとびで走査した場合を、本発明の第１の実施形態として図４に示す。図４は、１フレーム内での各走査線の電位を示している。図４は例示であるので１フレームだけ走査して表示を終了しているが、通常では、連続して次々フレームを表示させることによって画像が構成されるので、連続して表示を行うとしてもよいのは勿論である。
【００３０】
図４に示すように、本実施形態での走査線を選択する順番は、１・３・５・７・９・１１・２・４・６・８・１０・１２（番）となる。従って、単位時間あたりに走査線の移動する距離は、２・２・２・２・２・−９・２・２・２・２・２である。この場合、選択された走査線が単位時間あたり移動する距離が前述の比較例と比べて２倍となり、比較例のパネルと比較してより明線が視認しにくくなったことが実験によっても確認された。
【００３１】
（第２の実施形態）
次に、走査電極を２つとびで走査した場合を本発明の第２の実施形態として図５に示す。図５は、１フレーム内での各走査線の電位を示している。図５は例示であるので１フレームだけ走査して表示を終了しているが、通常では、連続して次々フレームを表示させることによって画像が構成されるので、連続して表示を行うとしてもよいのは勿論である。
【００３２】
図５に示すように、本実施形態での走査線を選択する順番は、１・４・７・１０・２・５・８・１１・３・６・９・１２（番）となる。従って、単位時間あたりに走査線の移動する距離は、３・３・３・−８・３・３・３・−８・３・３・３である。この場合、選択された走査線が単位時間あたり移動する距離が前述の比較例と比して３倍となり、比較例のパネルと比較してより明線が視認しにくくなったことが実験によっても確認された。
【００３３】
（第３の実施形態）
次に、走査電極を特定の順番（またはランダムの順番）で走査した場合を本発明の第３の実施形態として図６に示す。図６は例示であるので１フレームだけ走査して表示を終了しているが、通常では、連続して次々フレームを表示させることによって画像が構成されるので、連続して表示を行うとしてもよいのは勿論である。
【００３４】
図６に示すように、本実施形態での走査線を選択する順番は、１・２・４・７・１１・５・１０・９・６・３・１２・８（番）としている。従って、この場合、選択された走査線が単位時間あたり移動する距離は、それぞれ１・２・３・４・−６・−５・−１・−３・−３・６・−４となる。
【００３５】
本実施形態では、走査線の選択位置の移動が大きく、また一定しないために、前述の比較例のパネルと比較してより明線が視認がされにくくなったことが実験によっても確認された。
【００３６】
（他の実施形態）
以上、本発明の実施形態を詳述したが、本発明は、上述した実施形態の事例に限定されるものではなく、例えば、走査電極の非順次の選択においてその非順次の内容を、表示する画像内容に応じて変化させたり、あるいは複数の走査線を同時に非順次で選択することも本発明に含まれる。
【００３７】
【発明の効果】
以上説明したように、本発明によれば、有機発光素子パッシブマトリックス表示パネルにおいて、走査線の選択順を非順次に行うようにしたので、視覚的に高輝度の走査線を視認しがたくして、表示品質を向上させることができるという効果を奏する。
【図面の簡単な説明】
【図１】本発明の後述の各実施形態におけるパッシブマトリックス型の有機発光素子ディスプレイの構成を示すブロック図である。
【図２】図１の有機発光素子ディスプレイを構成する有機発光素子パネルの構成を示す模式図である。
【図３】本発明の比較例として、走査電極を順次走査した場合を示すタイミングチャートである。
【図４】走査電極を１つとびで走査した場合を、本発明の第１の実施形態として示すタイミングチャートである。
【図５】走査電極を２つとびで走査した場合を本発明の第２の実施形態として示すタイミングチャートである。
【図６】走査電極を特定の順番（またはランダムの順番）で走査した場合を本発明の第３の実施形態として示すタイミングチャートである。
【符号の説明】
１０１　有機ＥＬ単純マトリックスパネル（有機発光素子パネル）
１０３　走査ドライバ（走査駆動回路）
１０５　データドライバ（データ駆動回路）
１０７　制御部
１０９　拡大部分
２０１　走査線
３０１　データ線
【図１】
2004013115.tif 000003
【図２】
2004013115.tif 000004
【図３】
2004013115.tif 000005
【図４】
2004013115.tif 000006
【図５】
2004013115.tif 000007
【図６】
2004013115.tif 000008